(57)【要約】 【課題】祝いの場において、そこに出席する人の席が判別できるとともに、その場において、新郎新婦など祝いの場の主役から出席する人々に対しメッセージを伝えることができるようにした席札装置を提供する。【解決手段】この席札装置１は、祝いの場に出席する人の名前を表示するとともに、祝いの場の主役の音声が記憶された音声記憶体２１を有する席札２と、席札２を着脱自在に装着するとともに、着装状態のとき音声記憶体２１に記憶された音声を出力し得るスピーカー３２を有する席札立て３と、を備えてなる。【選択図】図１
0003140787.tif 000002
【実用新案登録請求の範囲】
【請求項１】
祝いの場に出席する人の名前を表示するとともに、祝いの場の主役の音声が記憶された音声記憶体を有する席札と、
該席札を着脱自在に装着するとともに、着装状態のとき音声記憶体に記憶された音声を出力し得るスピーカーを有する席札立てと、
を備えてなることを特徴とする席札装置。
【請求項２】
請求項１に記載された席札装置において、
前記席札は、その音声記憶体に、更に祝いの場に出席する人の音声を記憶することができるものであり、
前記席札立ては、音声記憶体に音声を記憶させるための音声を入力するマイクを更に有することを特徴とする席札装置。
【考案の詳細な説明】
【技術分野】
【０００１】
本考案は、結婚披露宴などの祝いの場において、祝いの場に出席する人の席が判別できるように設置される席札装置に関する。
【背景技術】
【０００２】
結婚披露宴などの祝いの場では、一般に、祝いの場に出席する人の席が分かるようテーブルの上に席札が置かれている。このような席札について、特許文献１には、小樹木を水平に切断した底面に結婚披露宴の日や祝いの場の主役である新郎新婦の名前などを表記し、斜めに切断した斜面に寿と出席する人の名前を表記して席札としたものが提案されている。この席札は、出席する人が席を探し易くし、また結婚披露宴が終われば記念品として持ち帰ることができる。また、特許文献２には、新郎新婦からのメッセージや写真等の文字、音声、画像等のデータを記憶するディスクの表面に名前を表記して席札としたものが提案されている。この席札は、出席する人が記念品として持ち帰り、後でディスクを再生して内容を見たり聞いたりすることができる。
【０００３】
【特許文献１】特開平８−６３１０４号公報
【特許文献２】実用新案登録第３０９１３３３号公報
【考案の開示】
【考案が解決しようとする課題】
【０００４】
ところで、結婚披露宴などの祝いの場では、その場に出席する人々はその場の主役である新郎新婦を見ているだけの時間が主であって親しく会話ができる時間は無いか或いは極めて短く、また、会話ができたとしても形式的な祝辞だけになる場合が多い。
【０００５】
本考案は、上記事由に鑑みてなしたもので、その目的とするところは、祝いの場において、そこに出席する人の席が判別できるとともに、その場において、新郎新婦など祝いの場の主役から出席する人々に対しメッセージを伝えることができるようにした席札装置を提供することにある。
【課題を解決するための手段】
【０００６】
上記の課題を解決するために、請求項１に係る席札装置は、祝いの場に出席する人の名前を表示するとともに、祝いの場の主役の音声が記憶された音声記憶体を有する席札と、該席札を着脱自在に装着するとともに、着装状態のとき音声記憶体に記憶された音声を出力し得るスピーカーを有する席札立てと、を備えてなることを特徴とする。
【０００７】
請求項２に係る席札装置は、請求項１に記載された席札装置において、前記席札は、その音声記憶体に、更に祝いの場に出席する人の音声を記憶することができるものであり、前記席札立ては、音声記憶体に音声を記憶させるための音声を入力するマイクを更に有することを特徴とする。
【考案の効果】
【０００８】
請求項１に記載の席札装置によれば、祝いの場において、そこに出席する人の席が判別できるとともに、席札が席札立てに着装状態のとき、席札立てを操作することにより祝いの場の主役のメッセージを聞くことができ、出席する人が祝いの場の主役に対しより理解を深めることができる。また、請求項２に記載の席札装置によれば、請求項１に記載の効果に加え、祝いの場に出席した人がメッセージを残すことができるので、後日、祝いの場の主役がそこに出席した人々のメッセージを聞くことができ、そこに出席した人々に対しより理解を深めることができ、記念として長く保管することができる。
【考案を実施するための最良の形態】
【０００９】
以下、本考案の最良の実施形態を図面を参照しながら説明する。図１は本考案の実施形態に係る席札装置１の斜視図である。この席札装置１は、祝いの場に出席する人の名前を表示する席札２と、席札２を着脱自在に装着する席札立て３と、を備えてなる。
【００１０】
図２は席札２を示すものであって、（ａ）は席札２の電子回路基板２２の背面図、（ｂ）はその右側面図、（ｃ）は席札２の音声記憶体２１の背面図、（ｄ）はその右側面図、（ｅ）は席札２の背面図、（ｆ）はその右側面図、である。
【００１１】
席札２は、祝いの場に出席する人の名前を表示するとともに、祝いの場の主役の音声が記憶され、更に祝いの場に出席する人の音声を記憶することができる音声記憶体２１を有している。音声記憶体２１は、電子回路基板２２とその素子搭載面を保護する基板カバー２３とが貼着されて成る。電子回路基板２２は、略長方形（例えば、約２．３ｃｍ×約４．１ｃｍ）の本体部分２２ａと、その一辺から突出したコネクタ部分２２ｂとから成る。本体部分２２ａの素子搭載面の一部には、音声を記憶する半導体などの電子部品２２ｃが搭載されている。本実施形態では、電子部品２２ｃは本体部分２２ａの略中央部に搭載されている。コネクタ部分２２ｂは、その端部に、席札立て３の電子回路と電気的接続するための端子（図示せず）を有する。基板カバー２３は、電子回路基板２２の本体部分２２ａより大きな略長方形（例えば、約２．９ｃｍ×約６．２ｃｍ）であり、電子回路基板２２の本体部分２２ａが内包されるように、それより少し大きな略長方形の第１の突出部２３ａが形成され、略中央部に、電子回路基板２２の電子部品２２ｃを保護するように第２の突出部２３ｃ（例えば、電子回路基板２２の配線面から第２の突出部２３ｃの先端部までの厚さは約５．５ｍｍ）が形成されている。従って、基板カバー２３が電子回路基板２２に貼着されたものである音声記憶体２１では、基板カバー２３の第２の突出部２３ｃが電子回路基板２２の電子部品２２ｃを保護し、電子回路基板２２のコネクタ部分２２ｂは露出している。
【００１２】
席札２は、音声記憶体２１の他に、略長方形（例えば、約５．５ｃｍ×約９．１ｃｍ）の表示シート２４を有している。表示シート２４は、二つ折りになった厚紙であり、正面側に祝いの場に出席する人の名前等が表記される。また、背面側には二つ折りの折り部２４ａに接して切抜き窓部２４ｂが設けられている。席札２は、表示シート２４の二つ折りの内側に折り部２４ａに接するように音声記憶体２１を挟んで、音声記憶体２１の第１の突出部２３ａとコネクタ部分２２ｂが露出するようにしている。
【００１３】
図３は、席札立て３を示すものであって、（ａ）が平面図、（ｂ）が右側面図である。
【００１４】
席札立て３は、前述した席札２を着脱自在に装着するとともに、着装状態のとき音声記憶体２１に記憶された祝いの場の主役の音声を出力し得るスピーカー３２を有し、更に音声記憶体２１に出席する人の音声を記憶させるための音声を入力するマイク３３を有している。より具体的には、席札立て３は、略直方体（例えば、縦横約５．６ｃｍ×９．２ｃｍ、高さ２．１ｃｍ）の筐体３１に、以下の部材が収容されてなる。すなわち、筐体３１には、音声信号の変換などを行う電子回路等が含まれる音声制御部（図示せず）、スピーカー３２、マイク３３、席札立て３の電源となる電池３４、３４が内蔵され、音声記憶体２１のコネクタ部分２２ｂが差し込まれる差込口３１ａ、電源オンオフ、再生、録音などの各操作のためのスイッチ部３１ｂ、３１ｂ、電源オンオフ、再生、録音などの各状態を示す表示部３１ｃ、が設けられている。
【００１５】
結婚披露宴のような祝いの場では、席札立て３の差込口３１ａに音声記憶体２１のコネクタ部２２ａが差し込まれた状態であり、祝いの場に出席する人は、席札立て３のスイッチ部３１ｂ、３１ｂを操作して音声記憶体２１に記憶された祝いの場の主役の音声（メッセージ）をその場で聞くことができる。それにより、出席する人が祝いの場の主役に対しより理解を深めることができる。また、祝いの場の主役の音声をイヤホーンでも聞けるようにすることが望ましく、その場合には、イヤホーン差込口を設ける。
【００１６】
更に、祝いの場に出席した人は、スイッチ部３１ｂ、３１ｂを操作して音声を音声記憶体２１に記憶してメッセージを残すことができる。祝いの式が終わり次第、席札２は席札立て３から取り外されて祝いの場の主役に渡され、後日、祝いの場の主役がそこに出席した人々の音声（メッセージ）を聞くことができ、祝いの場の主役がそこに出席した人々に対しより理解を深めることができ、アルバムのようにし記念として長く保管することができる。なお、図４に示すように、例えば出席した人の席札２とその人の写真４を台紙に並置するようにして、出席した人々の席札２、２、・・・を収納し、席札立て３と同種類の席札立て３Ａをその高さ方向が厚み方向にして収納したアルバムとすれば、アルバムの厚みもさほど大きくならず、即座に、出席した人々の音声を聞くことが可能になる。
【００１７】
以上、本考案の実施形態に係る席札装置について説明したが、本考案は、実施形態に記載したものに限られることなく、実用新案登録請求の範囲に記載した事項の範囲内でのさまざまな設計変更が可能である。例えば、席札装置１の利点は少なくなるが、コスト低減等のため、音声記憶体２１に祝いの場に出席する人の音声を記憶する機能を省略し、音声記憶体２１に音声を記憶させるための音声を入力するマイク３３を省略することにより、祝いの場に出席する人が祝いの場の主役の音声を聞くだけとすることも可能である。また、席札装置１は、勲章などの受賞祝賀会や、定年退職者の慰労会など、種々のお祝いの場で使用することができる。
【図面の簡単な説明】
【００１８】
【図１】本考案の実施形態に係る席札装置の斜視図である。
【図２】同上の席札を示すものであって、（ａ）は席札の電子回路基板の背面図、（ｂ）はその右側面図、（ｃ）は席札の音声記憶体の背面図、（ｄ）はその右側面図、（ｅ）は席札の背面図、（ｆ）はその右側面図、である。
【図３】同上の席札立てを示すものであって、（ａ）が平面図、（ｂ）が右側面図である。
【図４】同上の席札を収納したアルバムの例の斜視図である。
【符号の説明】
【００１９】
１    席札装置
２    席札装置の席札
２１  音声記憶体
３    席札装置の席札立て
３２  席札立てのスピーカー
３３  席札立てのマイク
【図１】
0003140787.tif 000003
【図２】
0003140787.tif 000004
【図３】
0003140787.tif 000005
【図４】
0003140787.tif 000006